(57)【特許請求の範囲】
【請求項１】
ファンが設けられた送風室と、圧縮機が設けられた機械室と、前記送風室と前記機械室とを区画する筐体仕切板と、前記機械室の上部に設けられた基板収納部とを備え、前記基板収納部は、電気部品が設けられた第１の電子回路基板を収納する基板室と、前記第１の電子回路基板に熱的に接続された放熱フィンを収納する放熱フィン室と、前記基板室と前記放熱フィン室とを区画する収納部仕切板とを備え、前記筐体仕切板は、第１の通気孔を備え、前記収納部仕切板は、第２の通気孔を備え、前記放熱フィン室は、前記第１の通気孔を介して前記送風室と連通し、前記第２の通気孔を介して、前記基板室と連通し、前記収納部仕切板は、当該収納部仕切板と並行に前記第１の電子回路基板を保持し、前記基板収納部は、前記第１の電子回路基板と並行に第２の電子回路基板を保持する保持板を備え、前記保持板は、前記第１の電子回路基板の前記電気部品が設けられた面を覆うとともに第３の通気孔を備え、前記基板室は前記第３の通気孔を介して、前記機械室と連通し、前記基板収納部の一端に前記第１の通気孔および前記第３の通気孔とを有し、前記基板収納部の他端に前記第２の通気孔を有することを特徴とする空気調和機の室外機。
【請求項２】
前記放熱フィン室の下部には、水受皿が備えられ、前記水受皿から滴下した水を前記送風室へと導く流路を具備することを特徴とする、請求項１に記載の空気調和機の室外機。
【発明の詳細な説明】
【技術分野】
【０００１】
本発明は、空気調和機の室外機に関し、特に、電気部品等の発熱体効率よく冷却できる室外機に関するものである。
【背景技術】
【０００２】
従来、電気部品が装着された電子回路基板に、外気を導入することで、電気部品を冷却する空気調和機の室外機がある（例えば、特許文献１、２参照）。
【０００３】
特許文献１、２に記載された室外機では、送風機室と機械室とを仕切る仕切板に、並行に電子回路基板を設け、電子回路基板を冷却する放熱フィンを機械室から送風機室へ突き出すように取り付けている。また、放熱フィンの一部は、フィンカバーにより取り囲まれている。これらの室外機では、通風口から機械室に取り込まれた外気が、フィンカバーに導かれて送風機室に至る途中で、放熱フィンを冷却している。
【先行技術文献】
【特許文献】
【０００４】
【特許文献１】特開２００７−９３１１６号公報
【特許文献２】特開２００７−１９８６８４号公報
【発明の概要】
【発明が解決しようとする課題】
【０００５】
しかしながら、前記従来の室外機では、放熱フィンの一部は覆われているものの、電子回路基板の電気部品が装着された面は、機械室に開放されているので、外気から導入した空気を効果的に電気部品に当てることができず、効率良く電気部品を冷却できないという課題を有していた。
【０００６】
本発明は、前記従来の課題を解決するもので、電気部品を効率の良く冷却できる室外機を提供することを目的とする。
【課題を解決するための手段】
【０００７】
前記従来の課題を解決するために、本発明の室外機は、送風室と機械室とを区画する筐体仕切板と、前記機械室の上部に設けられた基板収納部とを備え、前記基板収納部は、電気部品が設けられた第１の電子回路基板を収納する基板室と、前記第１の電子回路基板に熱的に接続された放熱フィンを収納する放熱フィン室と、前記基板室と前記放熱フィン室とを区画する収納部仕切板とを備え、前記筐体仕切板は、第１の通気孔を備え、前記収納部仕切板は、第２の通気孔を備え、前記放熱フィン室は、前記第１の通気孔を介して前記送風室と連通し、前記第２の通気孔を介して、前記基板室と連通するものである。
【０００８】
これによって、放熱フィン室を風路として流れる空気で、インバータ駆動回路基板に実装された電気部品を効率よく冷却できる。
【発明の効果】
【０００９】
本発明の室外機は、電気部品を効率良く冷却できる。
【図面の簡単な説明】
【００１０】
【図１】本発明の実施の形態の室外機の斜視図。
【図２】本発明の実施の形態の室外機の正面透視図
【図３】本発明の実施の形態の室外機の図２に示す断面図
【図４】本発明の実施の形態における基板収納部の分解斜視図
【図５】本発明の実施の形態における基板収納部の断面斜視図
【図６】本発明の実施の形態における基板収納部の断面斜視図
【図７】本発明の実施の形態の室外機の図２に示す断面図
【図８】本発明の実施の形態における基板収納部の断面斜視図
【図９】本発明の実施の形態における基板収納部の断面拡大図
【発明を実施するための形態】
【００１１】
第１の発明は、ファンが設けられた送風室と、圧縮機が設けられた機械室と、前記送風室と前記機械室とを区画する筐体仕切板と、前記機械室の上部に設けられた基板収納部とを備え、前記基板収納部は、電気部品が設けられた第１の電子回路基板を収納する基板室と、前記第１の電子回路基板に熱的に接続された放熱フィンを収納する放熱フィン室と、前記基板室と前記放熱フィン室とを区画する収納部仕切板とを備え、前記筐体仕切板は、第１の通気孔を備え、前記収納部仕切板は、第２の通気孔を備え、前記放熱フィン室は、前記第１の通気孔を介して前記送風室と連通し、前記第２の通気孔を介して、前記基板室と連通するものである。
【００１２】
これによれば、放熱フィン室を風路として流れる空気で、インバータ駆動回路基板に実装された電気部品を効率よく冷却できる。
【００１３】
第２の発明は、第１の発明の収納部仕切板は、当該収納部仕切板と並行に前記第１の電子回路基板を保持するものである。これによれば、基板収納部を小型化することができる。
【００１４】
第３の発明は、第１または２の発明の基板収納部は、前記第１の電子回路基板と並行に第２の電子回路基板を保持する保持板を備え、前記保持板は、前記第１の電子回路基板の前記電気部品が設けられた面を覆うものである。
【００１５】
これによれば、基板室を風路として流れる空気で、インバータ駆動回路基板に実装された電気部品を効率よく冷却できる。
【００１６】
第４の発明は、第３の発明の保持板は、第３の通気孔を備え、前記基板室は前記第３の通気孔を介して、前記機械室と連通するものである。これによれば、基板室の内部は、低発熱基板収納箱通気孔１４と放熱フィン収納箱通気孔１６以外に他と連通する孔を備えていないので、風路以外に空気が出入りすることがなくなり、電気部品を効率よく冷却できる。
【００１７】
第５の発明は、機械室から送風室へ戻る水路と水抜き穴を作ることにより、送風室と機械室を連通する風路から入ってくる水を効率よく水路を通り水抜き穴から出すことができ、基板が水に浸漬する危険を回避することができる。
【００１８】
以下、本発明の実施の形態について、図面を参照しながら説明する。なお、この実施の形態によって本発明が限定されるものではない。
【００１９】
（実施の形態）
図１は、本発明の実施の形態の空気調和機の室外機の斜視図である。図２は、本発明の実施の形態の空気調和機の室外機の正面透視図である。図３は、本発明の実施の形態の室外機の図２に示すＸＸ断面での断面図である。
【００２０】
図１から図３に示すように、空気調和機の室外機１は、外殻を構成する筐体の内部に、ファン２や、冷凍サイクルの構成部品である熱交換器３や圧縮機４を備えている。また、筐体の内部を送風室１０１と機械室１０２とに区画する筐体仕切板５を備えている。
【００２１】
送風室１０１には、ファンモータ台を介して上下に２つのファン２が設けられている。機械室１０２には、圧縮機４や、冷媒管等の冷凍サイクル構成部品（図示せず）や、ファン２や圧縮機４などを制御する制御基板等を収納する基板収納部６が設けられている。基板収納部６は、圧縮機４の上方に配置されている。
【００２２】
室外機１の背面から一方の側面にかけて、略Ｌ字形状の熱交換器３が配置されている。熱交換器３のうち、空気との熱交換を行うフィンが設けられた部分は、送風室１０１に配置されている。熱交換器３の一方の端部に設けられた、冷媒管との接続部分は、機械室１０２に配置されている。
【００２３】
また、送風室１０１の前方には送風室前板１０３が設けられている。送風室前板１０３は、２つファン２のそれぞれの周囲を取り囲むベルマウスと、２つのベルマウスの前面にそれぞれ設けられた２つの吹出グリル１０４を備えている。
【００２４】
一方、機械室１０２の前面から側面には略Ｌ字形状の機械室前板１０５が設けられている。また、機械室１０２の背面から側面には略Ｌ字形状の機械室後板１０６が設けられている。機械室後板１０６の側面下部には、外部通気孔１０７が設けられている。なお、図２は、機械室前板１０５を取り外した状態の室外機１の正面図である。
【００２５】
室外機１の天面は、天板１０８で覆われている。また、室外機１の下面は、底板１０９で覆われている。ファンモータ台や、熱交換器３や、圧縮機４は底板１０９の上に配置されている。
【００２６】
送風室前板１０３、機械室前板１０５、機械室後板１０６、天板１０８、底板１０９は、筐体の一部を構成している。送風室１０１は、熱交換器３が設けられた箇所と、ベルマウスの開口以外は、筐体と筐体仕切板５とで覆われた空間である。機械室１０２は、筐体と筐体仕切板５とで覆われた空間である。機械室１０２は、外部通気孔１０７を介して、室外機１の外部と連通している。
【００２７】
筐体仕切板５には、送風室１０１と機械室１０２とを連通する筐体仕切板通気孔１２が設けられている。筐体仕切板通気孔１２は、室外機１の前後方向において、ファン２と熱交換器３との間に開口している。筐体仕切板通気孔１２は、本発明における第１の通気孔である。
【００２８】
筐体仕切板５には、ルーバー１８が設けられている。ルーバー１８は、筐体仕切板通気孔１２の送風室１０１側を覆っている。ルーバー１８は、複数の水平方向に長手方向を有する羽板を備えている。それぞれの羽板は、筐体仕切板５から送風室１０１側に向かうほど下方に向かうように、傾斜して設けられている。
【００２９】
次に、基板収納部６の構成について説明する。図４は、本発明の実施の形態における室外機の基板収納部の分解斜視図である。図５は、本発明の実施の形態における室外機の基板収納部の図３に示すＹＹ断面を背面側から見た断面斜視図である。図６は、本発明の実施の形態における室外機の基板収納部の図５に示すＺＺ断面を前面側から見た断面斜視図である。
【００３０】
基板収納部６は、一面が開口した３つの箱、つまり、低発熱基板収納箱７と、高発熱基
板収納箱８と、放熱フィン収納箱９とを備えている。基板収納部６は、それぞれの箱の開口が、室外機１の前面側を向くように、低発熱基板収納箱７、高発熱基板収納箱８、放熱フィン収納箱９の順に重ねることで、構成されている。
【００３１】
基板収納部６は、インバータ駆動回路基板１０と制御回路基板１１とを備えている。インバータ駆動回路基板１０は、圧縮機４の回転数を可変するための、複数の電気部品が実装された電子回路基板である。制御回路基板１１は、ファン２を駆動したり、室内機との通信するための、複数の電気部品が実装された電子回路基板である。このため、インバータ駆動回路基板１０は、制御回路基板１１より発熱量が大きい。
【００３２】
インバータ駆動回路基板１０は、主に複数の電気部品が実装された面とは反対の面に、放熱フィン１３を備えている。放熱フィン１３は、基部と基部から突出する複数のフィンから構成されている。放熱フィン１３は、基部のフィンを設けていない面が、インバータ駆動回路基板１０の主に電気部品が実装された面とは反対の面に対向するように設けられている。そして、放熱フィン１３は、インバータ駆動回路基板１０に設けられた複数の電気部品のうち発熱量の大きい電気部品と熱的に接続されている。具体的には、放熱フィン１３の基部の一面と、発熱量の大きい電気部品の一面とは、熱伝導ペースト（図示せず）を介して面接触している。
【００３３】
インバータ駆動回路基板１０は本発明の第１の電子回路基板であり、制御回路基板１１は本発明の第２の電子回路基板である。
【００３４】
低発熱基板収納箱７は、平面部７ａと、平面部７ａの四辺からそれぞれ、室外機１の前面側に突出する側面部７ｂ〜７ｅとを備えている。低発熱基板収納箱７は本発明の保持板である。または、低発熱基板収納箱７のうち特に平面部７ａが本発明の保持板である。
【００３５】
平面部７ａは、室外機１の背面側に面しており、平面部７ａと対向する面は、機械室１０２に開口している。側面部７ｂは、筐体仕切板５に近い側に位置する側面であり、側面部７ｃは、側面部７ｂと対向する側面である。側面部７ｄは、天板１０８に近い側に位置する側面であり、側面部７ｅは、底板１０９に近い側に位置する側面である。
【００３６】
平面部７ａは、制御回路基板１１を平面部７ａと並行に保持する保持部７ａ１と、保持部７ａ１より側面部７ｂ側に延長された側面側延設部７ａ２と、保持部７ａ１より下方に延長された下方側延設部７ａ３とを備えている。保持部７ａ１と側面側延設部７ａ２とは同一平面を構成している。保持部７ａ１と下方側延設部７ａ３とは、傾斜部を介して、なめらかにつながっている。側面部７ｃには、制御回路基板１１に接続され、制御回路基板１１を補助する副制御回路基板が設けられる。
【００３７】
保持部７ａ１は、制御回路基板１１の主に電気部品が実装された面が、室外機１の前面側を向くように、制御回路基板１１を保持している。下方側延設部７ａ３には、制御回路基板１１に接続するための電源線や信号線を接続するための端子台が設けられる。
【００３８】
低発熱基板収納箱７は、低発熱基板収納箱通気孔１４を備えている。側面側延設部７ａ２は、第１の低発熱基板収納箱通気孔１４ａを備えている。側面部７ｂは、第２の低発熱基板収納箱通気孔１４ｂを備えている。低発熱基板収納箱通気孔１４は、本発明における第３の通気孔である。
【００３９】
高発熱基板収納箱８は、平面部８ａと、平面部８ａの四辺からそれぞれ、室外機１の前面側に突出する側面部８ｂ〜８ｅとを備えている。高発熱基板収納箱８の室外機１の上下方向の長さは、低発熱基板収納箱７の室外機１の上下方向の長さより短い。高発熱基板収
納箱８の室外機１の左右方向の長さは、低発熱基板収納箱７の室外機１の左右方向の長さより長い。
【００４０】
平面部８ａは、室外機１の背面側に面しており、平面部８ａと対向する面は、低発熱基板収納箱７の平面部７ａにより覆われている。側面部８ｂは、筐体仕切板５に近い側に位置する側面であり、側面部８ｃは、側面部８ｂと対向する側面である。側面部８ｄは、天板１０８に近い側に位置する側面であり、側面部８ｅは、底板１０９に近い側に位置する側面である。
【００４１】
平面部８ａは、インバータ駆動回路基板１０を平面部８ａと並行に保持する保持部８ａ１と、保持部８ａ１より側面部８ｃ側に延長された側面側延設部８ａ２とを備えている。保持部８ａ１と側面側延設部８ａ２とは同一平面を構成している。
【００４２】
保持部８ａ１は、インバータ駆動回路基板１０の主に電気部品が実装された面が、室外機１の前面側を向くように、インバータ駆動回路基板１０を保持している。
【００４３】
側面部８ｂは、筐体仕切板５の主要面と並行に、筐体仕切板５に固定されている。側面部８ｂは、側面部８ｃより高さ（室外機１の前後方向の長さ）が高く、その上端（室外機１の前面側の端部）には、折返部８ｂ１が設けられている。折返部８ｂ１は、筐体仕切板５、または、送風室前板１０３に固定されている。側面部８ｃ〜８ｅの上端（室外機１の前面側の端部）は、低発熱基板収納箱７の平面部７ａの背面と接している。
【００４４】
高発熱基板収納箱８の平面部８ａと低発熱基板収納箱７の平面部７ａの背面との間には、所定の間隔を備えている。また、高発熱基板収納箱８の側面部８ｂと低発熱基板収納箱７の側面部７ｂの間には所定の隙間が設けられている。
【００４５】
側面側延設部８ａ２は、高発熱基板収納箱通気孔１５を備えている。高発熱基板収納箱通気孔１５は、本発明における第２の通気孔である。
【００４６】
放熱フィン収納箱９は、平面部９ａと、平面部９ａの四辺からそれぞれ、室外機１の前面側に突出する側面部９ｂ〜９ｅとを備えている放熱フィン収納箱９の室外機１の上下方向の長さは、高発熱基板収納箱８の室外機１の上下方向の長さより短い。放熱フィン収納箱９の室外機１の左右方向の長さは、高発熱基板収納箱８の室外機１の左右方向の長さとほぼ等しいか、若干短い。
【００４７】
平面部９ａは、室外機１の背面側に面しており、平面部９ａと対向する面は、高発熱基板収納箱８の平面部８ａにより覆われている。側面部９ｂは、筐体仕切板５に近い側に位置する側面であり、側面部９ｃは、側面部９ｂと対向する側面である。側面部９ｄは、天板１０８に近い側に位置する側面であり、側面部９ｅは、底板１０９に近い側に位置する側面である。
【００４８】
平面部９ａは、放熱フィン１３のフィン先端と所定の隙間を空けて、高発熱基板収納箱８の平面部８ａと並行に設けられている。
【００４９】
側面部８ｂ〜８ｅの上端（室外機１の前面側の端部）は、高発熱基板収納箱８の平面部８ａの背面と接している。側面部９ｂは、筐体仕切板５の主要面と並行に設けられている。側面部９ｂは、放熱フィン収納箱通気孔１６を備えている。放熱フィン収納箱通気孔１６は、筐体仕切板通気孔１２と略同一の開口面積を備えている。放熱フィン収納箱通気孔１６と筐体仕切板通気孔１２とは、それぞれの開口が重なりあっている。
【００５０】
側面部９ｄは、中央に開口を備えている。側面部９ｄは、中央の開口に向けて傾斜を備えている。側面部９ｄの下方には、水受皿１７が設けられている。側面部９ｄの下方には、水受皿１７が設けられている。水受皿１７の底面は、筐体仕切板５側の端部に設けられた水戻し部（図示せず）に向かって傾斜している。水戻し部は、筐体仕切板５の筐体仕切板通気孔１２の下方に設けられた小径の水戻し孔（図示せず）に接続されている。
【００５１】
低発熱基板収納箱７、高発熱基板収納箱８、放熱フィン収納箱９を組み合わせることにより、高発熱基板収納箱の平面部８ａが収納部仕切板となる。収納部仕切板は、基板収納部６を、基板室６ａと放熱フィン室６ｂとに区画している。なお、収納部仕切板の一部または主要部を、インバータ駆動回路基板１０が構成してもよい。
【００５２】
基板室６ａは、低発熱基板収納箱７と高発熱基板収納箱８とで区画された空間であり、インバータ駆動回路基板１０の主に電気部品が実装された面を収納する。より詳細には、基板室６ａは、低発熱基板収納箱７の平面部７ａの背面と、高発熱基板収納箱８の平面部８ａと側面部８ｂ〜８ｅで覆われている。基板室６ａは、一端側に低発熱基板収納箱通気孔１４を備え、他端側に高発熱基板収納箱通気孔１５を備え、低発熱基板収納箱通気孔１４から高発熱基板収納箱通気孔１５へと至る風路を構成している。なお、基板室６ａは、その一面の一部または主要部が、低発熱基板収納箱７の平面部７ａに替えて、制御回路基板１１で構成されていてもよい。つまり、本発明の保持板に替えて、制御回路基板１１が、インバータ駆動回路基板１０の電気部品が設けられた面を覆うものであってもよい。
【００５３】
放熱フィン室６ｂは、高発熱基板収納箱８と放熱フィン収納箱９とで区画された空間であり、放熱フィン１３を収納する。より詳細には、放熱フィン室６ｂは、高発熱基板収納箱８の平面部８ａの背面と、放熱フィン収納箱９の平面部９ａと側面部９ｂ〜８ｅで覆われている。放熱フィン室６ｂは、一端側に高発熱基板収納箱通気孔１５を備え、他端側に放熱フィン収納箱通気孔１６を備え、高発熱基板収納箱通気孔１５から放熱フィン収納箱通気孔１６へと至る風路を構成している。なお、放熱フィン室６ｂは、その一面の一部または主要部が、高発熱基板収納箱８の平面部８ａに替えて、インバータ駆動回路基板１０で構成されていてもよい。
【００５４】
低発熱基板収納箱７、高発熱基板収納箱８、放熱フィン収納箱９を組み合わせることにより、低発熱基板収納箱通気孔１４以外の開放部分をなくした基板室６ａと放熱フィン収納箱通気孔１６以外の開放部分をなくした放熱フィン室６ｂとを構成する。
【００５５】
さらに、放熱フィン室６ｂの下部には水受皿が設けられている。
図８は本発明の実施の形態における基板収納部の断面斜視図。図９は本発明の実施の形態における基板収納部の断面拡大図である。
【００５６】
水受皿１７と送風機室に繋がる穴をふさぐように平板１１０を構成する。平板１１０と筐体仕切板５のルーバー部分との接触箇所から抜けるルーバー水抜け穴１１２を構成する。水受皿１７と筐体仕切板５の接触部分をなくすように水受皿リブ１１１を構成する。放熱フィン収納箱９から水受皿へ水の滴下する部分の面積を小さくするような放熱フィン収納箱９底部に絞り構造をもった放熱フィン収納箱底１１３を構成する。
【００５７】
以上のような構成された室外機について、以下にその動作、作用を説明する。
【００５８】
空気調和機が運転を開始すると、ファン２がモータによって駆動され、送風室１０１のうち、ファン２と熱交換器３との間の空間が負圧となる。これによって、室外機１の外部の空気は、熱交換器３のフィンの間を介して、送風室１０１内へ流入する。そして、熱交換器３では、熱交換器３の伝熱管内を流れる冷媒とフィンの間を流れる空気とが熱交換す
る。熱交換した空気は、ベルマウスの開口を通過して、再び室外機１の外部へと排出される。
【００５９】
また、送風室１０１のファン２と熱交換器３との間の空間が負圧となることで、室外機１の外部の空気は、外部通気孔１０７を介して、機械室１０２内に流入する。機械室１０２内で、空気は基板収納部６付近まで上昇する。図３または図６に矢印で示すように、空気は、低発熱基板収納箱通気孔１４を介して、基板室６ａに流入する。基板室６ａに流入した空気は、インバータ駆動回路基板１０の主に電気部品が実装された面と、低発熱基板収納箱７の平面部７ａの背面、または、制御回路基板１１の一部または主要部との間を流れ、インバータ駆動回路基板１０に実装された電気部品を冷却する。
【００６０】
その後、電気部品を冷却した空気は、高発熱基板収納箱通気孔１５を介して、放熱フィン室６ｂに流入する。放熱フィン室６ｂに流入した空気は、高発熱基板収納箱８の平面部８ａの背面、または、放熱フィン１３と、放熱フィン収納箱９の平面部９ａとの間を流れ、放熱フィン１３を冷却する。その後、放熱フィン１３を冷却した空気は、放熱フィン収納箱通気孔１６と筐体仕切板通気孔１２とを介して、送風室１０１へと流入する。
【００６１】
以上のように、本実施の形態では、基板収納部６内に基板室６ａと放熱フィン室６ｂとを作ることにより、そして、これらの室を風路として、外部から導入された空気を流すことにより、インバータ駆動回路基板１０に実装された電気部品を効率よく冷却できる。
【００６２】
特に、基板収納部６は、低発熱基板収納箱通気孔１４と放熱フィン収納箱通気孔１６以外の開放部分をなくすことにより、風路以外から空気が出入りすることがなくなり、外気温度が高い場合でも、電気部品や放熱フィン１３を効率よく冷却できる。
【００６３】
また、本実施の形態では、基板室６ａは、低発熱基板収納箱通気孔１４と高発熱基板収納箱通気孔１５以外に開口を備えていないことにより、これらの通気孔以外から空気が出入りすることがない。このため、低発熱基板収納箱通気孔１４から入った空気が効率よく電気部品にあたり、外気温度が高い場合でも、電気部品を効率よく冷却できる。
【００６４】
なお、高発熱基板収納箱８の平面部８ａと低発熱基板収納箱７の平面部７ａの背面との間隔は、低発熱基板収納箱７の平面部７ａの背面がインバータ駆動回路基板１０上の電子部品と干渉しないことを前提に、小さい方が望ましい。これは、基板室６ａを流れる空気の流速が速くなり、電子部品の冷却効率が向上するためである。
【００６５】
また、本実施の形態では、放熱フィン室６ｂは、高発熱基板収納箱通気孔１５と放熱フィン収納箱通気孔１６以外に開口を備えていないことにより、これらの通気孔以外から空気が出入りすることがない。このため、高発熱基板収納箱通気孔１５から入った空気が効率よく放熱フィン１３を流れることにより、外気温度が高い場合でも、放熱フィン１３を効率よく冷却できる。
【００６６】
なお、放熱フィン１３の先端と放熱フィン収納箱９の平面部９ａとの隙間が小さい方が、望ましい。これは、放熱フィン１３のフィン間を流れる空気の流速が速くなり、冷却効率が向上するためである。
【００６７】
また、本実施の形態では、基板室６ａ、放熱フィン室６ｂの順に、空気を流すことで、放熱フィン室６ｂ、基板室６ａの順に空気を流す場合と比較して、効率よく、インバータ駆動回路基板１０に実装された電気部品を冷却できる。これは、放熱フィン室６ｂ、基板室６ａの順に空気を流すと、放熱フィン室６ｂを流れた後の空気の温度が上昇していまい、基板室６ａで電気部品を冷却する際に、空気と電気部品との温度差が小さくなり、効率
が低下するためである。
【００６８】
また、本実施の形態では、低発熱基板収納箱通気孔１４を、制御回路基板１１の一端の近傍に設けている。また、第１の低発熱基板収納箱通気孔１４ａを制御回路基板１１の主要面と並行な面に設け、第２の低発熱基板収納箱通気孔１４ｂを制御回路基板１１の主要面と垂直な面に設けている。これによって、機械室１０２から低発熱基板収納箱通気孔１４へと流れる空気によって、制御回路基板１１に実装された電気部品も冷却できる。また、機械室１０２から基板室６ａへと流れる空気の量を十分に確保できる。
【００６９】
次に、熱交換器３のフィンの間や、ベルマウスの開口から送風室１０１に水滴が浸入した場合について説明する。このような水滴が基板収納部６に達すると、インバータ駆動回路基板１０や制御回路基板１１の回路などを短絡する虞がある。
【００７０】
しかし、本実施の形態では、筐体仕切板通気孔１２にルーバー１８を設けることで、送風室１０１から放熱フィン室６ｂへの水滴の浸入を防止している。
【００７１】
また、放熱フィン室６ｂに水滴が浸入した場合でも、水滴は、側面部９ｄの傾斜に沿って、中央の開口に集まり、水受皿１７に流れ落ちる。そして、水受皿１７の底面の傾斜に沿って、水戻し部に集まり、水戻し孔を介して、送風室１０１に戻される。
【００７２】
水の排出について、さらに詳細に述べる。
【００７３】
送風室から筐体仕切板５のルーバー１８から機械室に入った水を、水受皿１７で受け取り、平板切り欠き１１４より水が送風室へ流れでるので、機械室側や制御回路側に水が落ちることを防止できる。
水受皿１７から流れ出る水の通り穴から、水が入るのを平板で防止できる。
平板１１０と筐体仕切板５の接触部分にたまる水を、ルーバー水抜け穴１１２から水が抜け出ることができる。
水受皿リブ１１１により筐体仕切板と水受皿を接触させないようにすることにより、水受皿１７と筐体仕切板５の接触部分から、水が表面張力により機械室側に落ちることを防止する。放熱フィン収納箱底１１３を小さくすることにより、風の流れを妨げないようにすることができる。
【００７４】
このように、本実施の形態では、送風室１０１と連通する通気孔を放熱フィン室６ｂに設け、基板室６ａには直接、設けていないので、水滴が基板室６ａに侵入し、インバータ駆動回路基板１０の回路を短絡することを防止できる。
【００７５】
なお、基板収納部６は、外部通気孔１０７より上方に設けられているので、外部通気孔１０７から機械室１０２に侵入した水滴が、基板収納部６に達する虞はない。
【産業上の利用可能性】
【００７６】
本発明は、１台の室外機に１台の室内機が接続される空気調和機の室外機だけではなく、１台の室外機に複数台の室内機が接続されるマルチ型の空気調和機の室外機であっても適用できる。また、空気調和機に限らず、ヒートポンプ式給湯機の室外機としても適用できる。
【符号の説明】
【００７７】
１  室外機
２  ファン
３  熱交換器
４  圧縮機
５  筐体仕切板
６  基板収納部
６ａ  基板室
６ｂ  放熱フィン室
７  低発熱基板収納箱
７ａ  平面部
７ａ１  保持部
７ａ２  側面側延設部
７ａ３  下方側延設部
７ｂ、７ｃ、７ｄ、７ｅ  側面部
８  高発熱基板収納箱
８ａ  平面部
８ａ１  保持部
８ａ２  側面側延設部
８ｂ、８ｃ、８ｄ、８ｅ  側面部
８ｂ１  折返部
９  放熱フィン収納箱
９ａ  平面部
９ｂ、９ｃ、９ｄ、９ｅ  側面部
１０  インバータ駆動回路基板
１１  制御回路基板
１２  筐体仕切板通気孔
１３  放熱フィン
１４  低発熱基板収納箱通気孔
１４ａ  第１の低発熱基板収納箱通気孔
１４ｂ  第２の低発熱基板収納箱通気孔
１５  高発熱基板収納箱通気孔
１６  放熱フィン収納箱通気孔
１７  水受皿
１８  ルーバー
１０１  送風室
１０２  機械室
１０３  送風室前板
１０４  吹出グリル
１０５  機械室前板
１０６  機械室後板
１０７  外部通気孔
１０８  天板
１０９  底板
１１０  平板
１１１  水受皿リブ
１１２  ルーバー水抜け穴
１１３  放熱フィン収納箱底
１１４  平板切り欠き
【図１】
0006387527.tif 000002
【図２】
0006387527.tif 000003
【図３】
0006387527.tif 000004
【図４】
0006387527.tif 000005
【図５】
0006387527.tif 000006
【図６】
0006387527.tif 000007
【図７】
0006387527.tif 000008
【図８】
0006387527.tif 000009
【図９】
0006387527.tif 000010